(57)【要約】【課題】  従来の機械式錠、または標準化された短距離無線通信と互換性のない鍵を利用する電気錠の鍵で利用可能な鍵運用システムを提供することを目的とする。【解決手段】  標準化された短距離無線通信部を備えた鍵１００を持ったユーザーが情報端末２００に対し接近した場合において通信可能な範囲内に位置すると、情報端末２００は鍵１００の識別情報を取得し、同時に鍵１００との接近距離を判定する。情報端末２００に保存された鍵１００の識別情報であった場合、かつ鍵１００と情報端末２００間の接近距離が情報端末２００に保存された距離を満たす場合、情報端末２００は接近記録を記録する。【選択図】図２
2018131886.tif 000002
【特許請求の範囲】
【請求項１】
鍵運用システムは、標準化された短距離無線通信部を備えた鍵を備え、かつ、標準化された短距離無線通信部を備えた錠側端末、標準化された短距離無線通信部を備えた携帯端末または標準化された短距離無線通信部を備えた据置型端末のいずれか一つ以上の情報端末を備え、前記鍵と前記情報端末が通信可能な位置を有する場合に前記鍵に接近された前記情報端末が前記鍵の識別情報を受信し、前記識別情報が前記情報端末に保存されている識別情報の一部または全てが一致した場合、かつ、前記鍵と前記情報端末間の接近距離が前記情報端末に保存された設定距離を満たす場合に、前記鍵の接近記録として、前記識別情報、前記情報端末を識別可能な固有のＩＤ、時刻、前記接近距離、前記情報端末の現在位置、錠の開閉状態、ドアの開閉状態、錠の開閉操作結果またはドアの開閉操作結果のいずれか一つ以上の情報を含む情報を記録する、ことを特徴とする鍵運用システムである。
【請求項２】
前記鍵と前記情報端末との通信はＢｌｕｅｔｏｏｔｈ（登録商標）による通信を利用する、ことを特徴とする、請求項１から請求項８のいずれか１項に記載の鍵運用システムである。
【請求項３】
前記識別情報を送信するための最低条件として、前記鍵が送信する前記識別情報に前記鍵運用システム固有の暗号化および署名を行わず、かつ、前記識別情報の送受信に前記鍵運用システム固有の認証を利用しない、かつ、前記鍵はＢｒｏａｄｃａｓｔｅｒとなる機能備え前記情報端末はＯｂｓｅｒｖｅｒとなる機能を備えるが、必要があれば、前記鍵が送信する前記識別情報に前記鍵運用システム固有の暗号化または署名を利用、前記識別情報の送受信に前記鍵運用システム固有の認証を利用、または前記鍵はＰｅｒｉｐｈｅｒａｌとなる機能備え前記情報端末はＣｅｎｔｒａｌとなる機能を備える、など高機能な仕様も選択し利用できる、ことを特徴とする、請求項１から請求項８のいずれか１項に記載の鍵運用システムである。
【請求項４】
前記錠側端末は錠を開閉可能な機能または自動ドアを開閉する機能を有することで、前記鍵と前記情報端末が通信可能な位置を有する場合に前記鍵に接近された前記情報端末が前記鍵の識別情報を受信し、前記識別情報が前記情報端末に保存されている識別情報の一部または全てが一致した場合、かつ、前記鍵と前記情報端末間の接近距離が前記情報端末に保存された設定距離を満たす場合に、錠を開閉または自動ドアを開閉することを特徴とする、請求項１から請求項８のいずれか１項に記載の鍵運用システムである。
【請求項５】
前記錠側端末は合鍵を錠の開閉操作に利用できなくするための機構として、電気式錠の開閉機能をキャンセルする機能または機械式錠の機構を内部で固定する機能もしくは機械式錠の機構を内部で分離する機能など、錠の操作阻止機構を有することで、前記鍵と前記錠側端末が通信可能な位置にない場合は錠の操作阻止状態を維持し、前記鍵と前記情報端末が通信可能な位置を有する場合に前記鍵に接近された前記情報端末が前記鍵の識別情報を受信し、前記識別情報が前記情報端末に保存されている識別情報の一部または全てが一致した場合、かつ、前記鍵と前記情報端末間の接近距離が前記情報端末に保存された設定距離を満たす場合に、前記錠の操作阻止状態を解除する、ことを特徴とする、請求項１から請求項８のいずれか１項に記載の鍵運用システムである。
【請求項６】
インターネット接続を通してデータの送受信を行うサーバー装置を有し、前記情報端末が、Ｂｌｕｅｔｏｏｔｈ、Ｗｉ−Ｆｉ（登録商標）、有線ＬＡＮ、移動体通信ネットワークまたは光回線など方式に関わらず１種類以上の通信方法を利用し直接的または間接的にインターネット接続できる機能を備えることで、前記情報端末から前記接近記録を前記サーバー装置に送信し前記サーバー装置は前記接近記録の記録内容を保存し、前記サーバー装置から前記情報端末に前記サーバー装置に保存された接近記録を送信することで、ユーザーが前記サーバー装置から送信された接近記録を閲覧することができる機能を有する、ことを特徴とする、請求項１から請求項８のいずれか１項に記載の鍵運用システムである。
【請求項７】
前記サーバー装置が前記情報端末に対し鍵の識別情報を含む設定情報を送信することにより、前記情報端末が行う接近記録の実行、前記錠側端末が行う錠の開閉もしくは自動ドアの開閉の実行、または錠の操作阻止の実行のいずれか一つ以上の実行可否条件を設定できる、ことを特徴とする、請求項１から請求項８のいずれか１項に記載の鍵運用システムである。
【請求項８】
前記鍵と前記情報端末が通信可能な位置を有する場合に前記鍵に接近された前記情報端末が前記鍵の識別情報を受信し、前記識別情報が前記情報端末に保存されている識別情報の一部または全てが一致した場合、かつ、前記鍵と前記情報端末間の接近距離が前記情報端末に保存された設定距離を満たす場合に、前記サーバー装置が前記情報端末に対し前記鍵の制御ソフトウエアまたは保存情報の１つ以上で構成された鍵情報を送信することにより、前記情報端末が前記鍵の前記鍵情報の書換えができる、ことを特徴とする、請求項１から請求項８のいずれか１項に記載の鍵運用システムである。
【発明の詳細な説明】
【技術分野】
【０００１】本発明は、標準化された短距離無線通信部による鍵運用システムに関するものである。
【背景技術】
【０００２】近年、ＲＦＩＤを利用した入館管理などに見られるように、近づくだけまたは触れるだけで錠の開閉を実施できる環境が整っているとともに、スマートフォンをはじめとする通信可能な携帯端末が普及したことに伴い、携帯端末が利用可能な標準化された短距離無線通信または近距離無線通信を利用した電子鍵も整備されている。【０００３】一方、得られる防犯性や電源喪失の懸念を考慮して、機械式錠、または標準化された短距離無線通信または近距離無線通信と互換性のない鍵を利用する電気錠を選択することも多くある。【０００４】このため従来の機械式錠や、標準化された規格と互換性のない鍵を利用する電気錠を利用するユーザーに対して、提供した鍵のみで、錠の開閉をどの鍵で行ったか特定する仕組み、それぞれの合鍵に対しどの錠の施錠や解錠を行えるかを個別に決定する仕組み、またはマンションの入り口などでキーレスエントリーに相当する自動ドアのオートロックを提供する仕組みなど、ＲＦＩＤを利用した入館管理やスマートフォンを鍵とした仕組みで提供可能な仕組みの提供が困難な状況である。
特にマンションの入り口などでキーレスエントリーに相当する自動ドアのオートロックを提供する、特開２０１５−２１８５４７によれば、携帯端末を持たない人については今までどおりに従来の機械式鍵やカード等を利用して自動ドアのロックを操作することを示している。【０００５】また、複数ある鍵の全てが保管場所にあることを常時監視する場合についても、従来であれば鍵ごとに電子錠が付ついた保管庫などを用意する必要がある。
【先行技術文献】
【特許文献】
【０００６】
【特許文献１】特開２０１５−２１８５４７
【０００７】
【特許文献２】特開２０１６−０７９６４４
【発明の概要】
【発明が解決しようとする課題】
【０００８】解決しようとする問題点は上記事情に鑑み、従来の錠と鍵の機構を維持したまま機能拡張可能な鍵運用システムを提供することである。
【課題を解決するための手段】
【０００９】第１の発明である鍵運用システムは、標準化された短距離無線通信部を備えた鍵を備え、かつ、標準化された短距離無線通信部を備えた錠側端末、標準化された短距離無線通信部を備えた携帯端末または標準化された短距離無線通信部を備えた据置型端末のいずれか一つ以上の情報端末を備え、前記鍵と前記情報端末が通信可能な位置を有する場合に前記鍵に接近された前記情報端末が前記鍵の識別情報を受信し、前記識別情報が前記情報端末に保存されている識別情報の一部または全てが一致した場合、かつ前記鍵と前記情報端末間の接近距離が前記情報端末に保存された設定距離を満たす場合に、前記鍵の接近記録として、前記識別情報、前記情報端末を識別可能な固有のＩＤ、時刻、前記接近距離、前記情報端末の現在位置、錠の開閉状態、ドアの開閉状態、錠の開閉操作結果またはドアの開閉操作結果のいずれか一つ以上の情報を含む情報を記録するシステムである。【００１０】第２の発明は、請求項１から請求項８のいずれか１項に記載の発明において、前記鍵と前記情報端末との通信はＢｌｕｅｔｏｏｔｈ（登録商標）による通信を利用する。【００１１】第３の発明は、請求項１から請求項８のいずれか１項に記載の発明において、前記識別情報を送信するための最低条件として、前記鍵が送信する前記識別情報に前記鍵運用システム固有の暗号化および署名を行わず、かつ、前記識別情報の送受信に前記鍵運用システム固有の認証を利用しない、かつ、前記鍵はＢｒｏａｄｃａｓｔｅｒとなる機能備え前記情報端末はＯｂｓｅｒｖｅｒとなる機能を備えるが、必要があれば、前記鍵が送信する前記識別情報に前記鍵運用システム固有の暗号化または署名を利用、前記識別情報の送受信に前記鍵運用システム固有の認証を利用、または前記鍵はＰｅｒｉｐｈｅｒａｌとなる機能備え前記情報端末はＣｅｎｔｒａｌとなる機能を備える、など高機能な仕様も選択し利用できる。【００１２】第４の発明は、請求項１から請求項８のいずれか１項に記載の発明において、前記錠側端末は錠を開閉可能な機能または自動ドアを開閉する機能を有することで、前記鍵と前記情報端末が通信可能な位置を有する場合に前記鍵に接近された前記情報端末が前記鍵の識別情報を受信し、前記識別情報が前記情報端末に保存されている識別情報の一部または全てが一致した場合、かつ、前記鍵と前記情報端末間の接近距離が前記情報端末に保存された設定距離を満たす場合に、錠を開閉または自動ドアを開閉することを特徴とする。【００１３】第５の発明は、請求項１から請求項８のいずれか１項に記載の発明において、前記錠側端末は合鍵を錠の開閉操作に利用できなくするための機構として、電気式錠の開閉機能をキャンセルする機能または機械式錠の機構を内部で固定する機能もしくは機械式錠の機構を内部で分離する機能など、錠の操作阻止機構を有することで、前記鍵と前記錠側端末が通信可能な位置にない場合は錠の操作阻止状態を維持し、前記鍵と前記情報端末が通信可能な位置を有する場合に前記鍵に接近された前記情報端末が前記鍵の識別情報を受信し、前記識別情報が前記情報端末に保存されている識別情報の一部または全てが一致した場合、かつ、前記鍵と前記情報端末間の接近距離が前記情報端末に保存された設定距離を満たす場合に、前記錠の操作阻止状態を解除することを特徴とする。【００１４】第６の発明は、請求項１から請求項８のいずれか１項に記載の発明において、インターネット接続を通してデータの送受信を行うサーバー装置を有し、前記情報端末が、Ｂｌｕｅｔｏｏｔｈ（登録商標）、Ｗｉ−Ｆｉ（登録商標）、有線ＬＡＮ、移動体通信ネットワークまたは光回線など方式に関わらず１種類以上の通信方法を利用し直接的又は間接的にインターネット接続できる機能を備えることで、前記情報端末から前記接近記録を前記サーバー装置に送信し前記サーバー装置は前記接近記録の記録内容を保存し、前記サーバー装置から前記情報端末に前記サーバー装置に保存された接近記録を送信することで、ユーザーが前記サーバー装置から送信された接近記録を閲覧することができる機能を有することを特徴とする。【００１５】第７の発明は、請求項１から請求項８のいずれか１項に記載の発明において、前記サーバー装置が前記情報端末に対し鍵の識別情報を含む設定情報を送信することにより、前記情報端末が行う接近記録の実行、前記錠側端末が行う錠の開閉もしくは自動ドアの開閉の実行、または錠の操作阻止の実行のいずれか一つ以上の実行可否条件を設定できる、ことを特徴とする。【００１６】第８の発明は、請求項１から請求項８のいずれか１項に記載の発明において、前記鍵と前記情報端末が通信可能な位置を有する場合に前記鍵に接近された前記情報端末が前記鍵の識別情報を受信し、前記識別情報が前記情報端末に保存されている識別情報の一部または全てが一致した場合、かつ、前記鍵と前記情報端末間の接近距離が前記情報端末に保存された設定距離を満たす場合に、前記サーバー装置が前記情報端末に対し前記鍵の制御ソフトウエアまたは保存情報の１つ以上で構成された鍵情報を送信することにより、前記情報端末が前記鍵の前記鍵情報の書換えができる。
【発明の効果】
【００１７】本発明によれば、通常ユーザーが携帯する鍵（例として自動車または家の鍵など）を、標準化された短距離無線通信部を備えた状態で配布することで、従来の錠と鍵が提供している機構を維持したまま鍵の運用を大きく拡張し運用状態を詳細に把握することが可能である。【００１８】従来の錠と鍵の組合せが提供する機構を維持していることで防犯性も維持されており、本発明は鍵の運用を拡張するにあたり、防犯性以外の補助的な機能を効果的に拡張可能であり、少ない電力消費で実現可能である。【００１９】スマートフォンなどの情報端末を持たない場面でも鍵さえあれば拡張された機能を利用できることはユーザーにとって便利である。（例として、スマートフォンを持たない場合でも、玄関の鍵さえあればマンションの自動ドアのオートロックが操作なしで解除できる）【００２０】防犯性は従来の錠と鍵の組合せが提供する機横に依存しているが、本発明を組合せて利用することで、さらに防犯性が高い錠の運用に利用できる。（例としてシリンダー錠がピッキングされた場合でも、識別情報が一致しないかぎりシリンダーが空転する）【００２１】なお、本発明は、従来の機構をもった錠を導入する際に標準化された短距離無線通信部を備えた鍵を配布することを想定しているが、鍵の再配布や更新が可能であれば、追加の機能として既存の設備を拡張することもできる。
【図面の簡単な説明】
【００２２】
【図１】  実施形態の鍵運用システムの機器構成を示す概念図である。
【図２】  実施形態の鍵運用システムの機能構成を示すブロック図である。
【図３】  実施形態の鍵運用システムにおいて、鍵と情報端末の接近時の処理の流れを示すフロー図である。
【図４】  実施形態の鍵運用システムにおいて、接近記録の処理の流れを示すフロー図である。
【発明を実施するための形態】
【００２３】以下、図面を参照して本発明を具体化した実施形態について説明する。以下で説明するフローチャートを構成する各処理の順序は、処理内容に矛盾や不整合が生じない範囲で順不同である。
図１は、本システムの使用時の機器構成を示す概念図である。鍵運用システムは、まず各ユーザーが所有する鍵１００、情報端末２００、サーバー装置３００によって構成されている。
【００２４】鍵１００は、機械式錠に対する鍵１０１（例としてマンション玄関に利用するディンプルキー）、電子式錠に対する鍵１０２（例として自動車のキーレスエントリー式の無線鍵）に標準化された短距離無線通信部１１０を備えた鍵である。
【００２５】鍵の短距離無線通信部１１０は、（例としてｉｂｅａｃｏｎ（登録商標）のようなＢｌｕｅｔｏｏｔｈ  Ｌｏｗ  Ｅｎｅｒｇｙ規格は）短距離間を無線で通信を行うことが可能であり、個別の識別情報（例としてｉｂｅａｃｏｎ（登録商標）あればＵＵＩＤ、ｍａｊｏｒ、ｍｉｎｏｒ）を送信可能で、鍵１００と情報端末２００間のおおよその接近距離も電波状態で検知可能（例としてｉｂｅａｃｏｎ（登録商標）であれば、Ｉｍｍｅｄｉａｔｅ、Ｎｅａｒ、Ｆａｒの３段階で距離を判定可能）で、電力消費が少ない通信部である。
【００２６】なお、鍵となるハードウェアとしては機械式錠に対する鍵１０１、電子式錠に対する鍵１０２にとどまらず、標準化された短距離無線通信部を内蔵した鍵であれば、今後新たに登場する鍵も含めて、適用することができる。
【００２７】情報端末２００は、錠側端末２０１、携帯端末２０２または据置型端末２０３の総称で、標準化された短距離無線通信部２１０を備えている情報通信端末である。
【００２８】錠側端末２０１はユーザーがドアやドア付近に取り付けする専用の端末として短距離無線通信部２１１を備えた端末を想定しているが、標準化された短距離無線通信部２１１を備えていれば電子錠、自動車のキーレスエントリー、自動ドアまたはインターホンなどの機器にアプリケーションまたは専用の制御ソフトウエアをインストールして使用する態様も想定している。
なお、使用されるハードウェアとしてはこれらにとどまらず、（例としてＢｌｕｅｔｏｏｔｈ（登録商標）を利用したキーボックスなど）今後新たに登場するデバイスであれば、適用することができる。
【００２９】携帯端末２０２はスマートフォン、携帯型ミュージックプレーヤーまたはタブレットなどユーザーが日常的に持ち歩けるもので標準化された短距離無線通信部２１２を備えており、アプリケーションをインストールして使用する態様を想定している。
なお、使用されるハードウェアとしてはこれらにとどまらず（例としてスマートウォッチなど）今後新たに登場するデバイスであれば、適用することができる。
【００３０】据置型端末２０３はセットトップボックスや家庭用ゲーム機、ホームサーバーなどユーザーが設置可能なもので標準化された短距離無線通信部２１３を備えており、アプリケーションまたは専用の制御ソフトウエアをインストールして使用する態様を想定している。
なお、使用されるハードウェアとしてはこれらにとどまらず、（例としてＢｌｕｅｔｏｏｔｈ（登録商標）を利用したキーボックスなど）今後新たに登場するデバイスであれば、適用することができる。
【００３１】サーバー装置３００は、情報端末２００との間で、データの送受信を行う装置であり、情報端末２００との間の通信には、Ｂｌｕｅｔｏｏｔｈ（登録商標）、Ｗｉ−Ｆｉ（登録商標）、有線ＬＡＮ、移動体通信ネットワーク、光回線など方式に関わらず１種類以上の通信方法を利用し直接的または間接的に利用可能なインターネット接続よって行われる。
【００３２】鍵運用システムでは、ユーザーは携帯端末２０２や据置型端末２０３を利用する場合、当該システムを利用するために必要であれば、あらかじめ専用のアプリケーションをインストールする。
【００３３】鍵１００を持ったユーザーが情報端末２００に対し接近した場合において通信可能な範囲内（例としてｉｂｅａｃｏｎ（登録商標）の規格で定められる１０〜２０ｍ程度の範囲内）に位置すると、情報端末２００は鍵１００の識別情報（例としてｉｂｅａｃｏｎ（登録商標）のようなＢｌｕｅｔｏｏｔｈ  Ｌｏｗ  Ｅｎｅｒｇｙ規格であれば、アドバタイズ情報に含まれるＵＵＩＤ、Ｍａｊｏｒ、Ｍｉｎｏｒ）を取得し、同時に鍵１００との接近距離（例としてｉｂｅａｃｏｎ（登録商標）の規格であれば、Ｉｍｍｅｄｉａｔｅ、Ｎｅａｒ、Ｆａｒの３段階の距離）を判定する。
情報端末２００に保存された鍵１００の識別情報（例としてｉｂｅａｃｏｎ（登録商標）のようなＢｌｕｅｔｏｏｔｈ  Ｌｏｗ  Ｅｎｅｒｇｙ規格であれば、アドバタイズ情報に含まれるＵＵＩＤ、ＵＵＩＤとＭａｊｏｒの組合せ、またはＵＵＩＤとＭａｊｏｒとＭｉｎｏｒの組合せのいずれか）であった場合、かつ鍵１００と情報端末２００間の接近距離が情報端末２００に保存された距離を満たす場合、情報端末２００は接近記録を記録する。
【００３４】接近記録には接近した鍵の識別情報、接近された情報端末を識別可能な固有のＩＤ、時刻、鍵と情報端末間の接近距離、のいずれか一つ以上とともに、情報端末２００にて利用可能であれば接近された情報端末の位置、錠の開閉状態、錠の開閉操作結果、ドアの開閉状態、またはドアの開閉操作結果いずれか一つ以上を合わせて記録する。
【００３５】鍵１００が接近した情報端末２００が錠側端末２０１であった場合、鍵１００の識別情報と鍵１００との接近距離を判断することで、錠の開閉の実行、自動ドアの開閉の実行または錠の操作阻止解除を行う。
【００３６】情報端末２００は接近記録を実施後、情報端末２００がインターネットへ接続可能なタイミングで接近記録をサーバー装置３００へと送信する。
【００３７】サーバー装置３００は接近記録を情報端末２００に送信することで、ユーザーは情報端末２００を利用して鍵の接近記録を閲覧可能になる。
【００３８】図２は、鍵運用システムの機能構成を示すブロック図である。
鍵１００は鍵情報送信部１５１を備えている。鍵情報送信部１５１は、前記鍵１００の識別情報を通信可能な範囲内にある情報端末２００に対して送信する。
【００３９】鍵情報送信部１５１に相当する識別情報を含む保存情報や制御ソフトウエアの１つ以上で構成された鍵情報の書き込みは、鍵１００の提供者が工場出荷時までに行うことが通常であるが、必要な場合は鍵１００に鍵情報更新部１５２を備えることで情報端末２００からの書き換えも行うことができる。
【００４０】情報端末２００は、接近判定部２５１、接近判定設定部２５２、接近情報記録部２５３、接近情報送信部２５４を備えており、構成上必要な場合において、接近情報受信表示部２５５、錠およびドア操作部２５６または鍵情報書換え機能部２５７のいずれか１つ以上も備えている。
【００４１】接近判定部２５１は、接近判定設定部２５２に保存された接近判定設定情報を利用して、接近判定を実施する。
接近判定部２５１による接近判定に基づき、接近情報記録部２５３は接近記録を実施し、錠およびドア操作部２５６によって錠の開閉の実行、自動ドアの開閉の実行または錠の操作阻止解除の実行が行われる。
【００４２】接近情報記録部２５３が接近記録を実施した後、接近情報送信部２５４はインターネットへ接続可能なタイミングで接近記録をサーバー装置３００へと送信する。
【００４３】鍵情報書換え機能部２５７は接近判定部２５１による接近判定により設定された距離範囲と認識されている場合のみ機能し、サーバー装置３００から鍵情報を受信し鍵１００が保存する鍵情報の書き換えを行う。
【００４４】サーバー装置３００から接近記録を受信した場合、接近情報受信表示部２５５は画面上に接近記録を表示可能となる。
【００４５】サーバー装置３００から接近判定設定情報を受信した場合、接近判定設定部２５２は保存済みの接近判定設定情報の一部または全てを受信した接近判定設定情報に置き換える。
【００４６】サーバー装置３００は、接近記録受信保存部３５１、保存済み接近記録送信部３５２、接近判定設定情報送信部３５３を備えており、構成上必要な場合、鍵情報送信部３５４も備えている。
【００４７】接近記録受信保存部３５１は、情報端末２００から送信された接近記録を受信し保存する。
【００４８】保存済み接近記録送信部３５２は、情報端末２００に保存済みの接近記録を送信する。送信タイミングは情報端末２００からのリクエスト時を想定しているが、必要に応じて情報端末２００へプッシュ送信することもできる。
【００４９】接近判定設定情報送信部３５３は、情報端末２００に接近判定設定情報を送信する。送信タイミングは情報端末２００からのリクエスト時を想定しているが、必要に応じて情報端末２００へプッシュ送信することもできる。
【００５０】鍵情報送信部３５４は鍵情報を情報端末２００へ送信する。
【００５１】図３は、鍵１００が情報端末２００と通信可能な範囲に入ることによって接近判定設定部２５２が行う処理の流れを示すフロー図である。本処理は、情報端末２００が鍵１００の識別情報を受信することにより処理が開始される。
【００５２】接近判定設定部２５２は、受信した鍵１００の識別情報が設定されているか否かを接近判定設定部２５２の情報から判定する（ステップＳ３１）。
識別情報が設定されていない場合（ステップＳ３１：Ｎｏ）、処理は終了する。
【００５３】識別情報が設定されている場合（ステップＳ３１：Ｙｅｓ）、接近判定設定部２５２は、鍵１００と情報端末２００の距離が接近判定設定部２５２に設定されている接近記録実行距離の範囲内か否かを接近判定設定部２５２の情報から判定する（ステップＳ３２）。
【００５４】鍵１００と情報端末２００の距離が接近記録実行距離の範囲内である場合（ステップＳ３２：Ｙｅｓ）、接近情報記録部２５３を呼び出し接近情報記録（ステップＳ３３）を実施した上で、ドア開閉実行距離に関わる判定（ステップＳ３４）に進む。
【００５５】鍵１００と情報端末２００の距離が接近記録実行距離の範囲内でない場合（ステップＳ３２：Ｎｏ）、ドア開閉実行距離に関わる判定（ステップＳ３４）に進む。
【００５６】接近判定設定部２５２は、鍵１００と情報端末２００の距離が接近判定設定部２５２に設定されている鍵開閉、ドア開閉実行距離の範囲内か否かを接近判定設定部２５２の情報から判定する（ステップＳ３４）。
【００５７】鍵１００と情報端末２００の距離が鍵開閉、ドア開閉実行距離の範囲内である場合（ステップＳ３４：Ｙｅｓ）、接錠およびドア操作部２５６を呼び出し鍵開閉、ドア開閉処理（ステップＳ３５）を実施した上で、鍵操作阻止解除距離に関わる判定（ステップＳ３６）に進む。
【００５８】鍵１００と情報端末２００の距離がドア開閉実行距離の範囲内でない場合（ステップＳ３４：Ｎｏ）、鍵操作阻止解除距離に関わる判定（ステップＳ３６）に進む。
【００５９】接近判定設定部２５２は、鍵１００と情報端末２００の距離が接近判定設定部２５２に設定されている鍵操作阻止解除距離の範囲内か否かを接近判定設定部２５２の情報から判定する（ステップＳ３６）。
【００６０】鍵１００と情報端末２００の距離が鍵操作阻止解除距離の範囲内である場合（ステップＳ３６：Ｙｅｓ）、接錠およびドア操作部２５６を呼び出し鍵操作阻止解除処理（ステップＳ３７）を実施した上で、鍵更新可能距離に関わる判定（ステップＳ３８）に進む。
【００６１】鍵１００と情報端末２００の距離が鍵操作阻止解除距離の範囲内でない場合（ステップＳ３６：Ｎｏ）、鍵更新可能距離に関わる判定（ステップＳ３８）に進む。
【００６２】接近判定設定部２５２は、鍵１００と情報端末２００の距離が接近判定設定部２５２に設定されている鍵更新可能距離の範囲内か否かを接近判定設定部２５２の情報から判定する（ステップＳ３８）。
【００６３】鍵１００と情報端末２００の距離が鍵更新可能距離の範囲内である場合（ステップＳ３８：Ｙｅｓ）、鍵情報書換え機能部２５７を呼び出し鍵情報更新可能状態（ステップＳ３９）を実施した上で、処理を終了する。
【００６４】鍵１００と情報端末２００の距離が鍵更新可能距離の範囲内でない場合（ステップＳ３８：Ｎｏ）、処理を終了する。
【００６５】図４は、接近情報記録部２５３が行う処理の流れを示すフロー図である。
本処理は、図３接近情報記録（ステップＳ３３）によって接近判定部２５１が接近情報記録部２５３呼び出した際に処理が開始される。
【００６６】接近情報記録部２５３は、時刻、情報端末固有のＩＤ、錠の開閉状態、ドアの開閉状態、情報端末の位置など情報端末２００において取得可能な情報を取得する（ステップＳ４１）。
【００６７】接近情報記録部２５３は、鍵１００から識別譲歩を受信したタイミングや時間あたりの受信回数をもって、鍵が接近状態を維持しているかを判定する（ステップＳ４２）。本ステップでは鍵１００の発信間隔（例としてＢｌｕｅｔｏｏｔｈ  Ｌｏｗ  Ｅｎｅｒｇｙ規格のアドバタイズ間隔）を考慮することで、維持判定の制度を向上できる余地がある。
発信間隔は比較的短い時間（例としてＢｌｕｅｔｏｏｔｈ  Ｌｏｗ  Ｅｎｅｒｇｙ規格のアドバタイズ間隔では２０ミリ秒から１０．２４秒の範囲で、そのうちｉＢｅａｃｏｎでは１００ミリ秒程度）なので鍵やドアの操作を行う時間の接近状態を維持は判定可能である。
【００６８】鍵が接近状態を維持いる場合（ステップＳ４２：Ｙｅｓ）、接近情報記録部２５３は、錠の開閉操作結果、ドアの開閉操作結果など鍵が接近状態を維持している間に発生した変化を取得（ステップＳ４３）し、接近記録の保存処理（ステップＳ４４）へと進む。
鍵が接近状態を維持いない、または新たに接近してきた場合（ステップＳ４２：Ｎｏ）、接近記録の保存処理（ステップＳ４４）へと進む。
【００６９】接近情報記録部２５３は、鍵の識別情報、鍵と情報端末の距離、時刻、情報端末固有のＩＤ、錠の開閉状態、ドアの開閉状態、錠の開閉操作結果、ドアの開閉操作結果、情報端末の位置を接近記録として保存（ステップＳ４４）した上で処理を終了する。
【００７０】  以上に示した本実施形態は、発明の構成の一例を示したものであり、構成は発明の範囲内において適宜変更することができる。
【符号の説明】
【００７１】１００  鍵
１０１  機械式錠に対する鍵
１０２  電子式錠に対する鍵
１１０  鍵の短距離無線通信部
１１１  機械式錠に対する鍵の短距離無線通信部
１１２  電子式錠に対する鍵の短距離無線通信部
１５１  鍵情報送信部
１５２  鍵情報更新部
２００  情報端末
２０１  錠側端末
２０２  携帯端末
２０３  据置型端末
２１０  情報端末の短距離無線通信部
２１１  錠側端末の短距離無線通信部
２１２  携帯端末の短距離無線通信部
２１３  据置型端末の短距離無線通信部
２５１  接近判定部
２５２  接近判定設定部
２５３  接近情報記録部
２５４  接近情報送信部
２５５  接近情報受信表示部
２５６  錠およびドア操作部
２５７  鍵情報書換え機能部
３００  サーバー装置
３５１  接近記録受信保存部
３５２  保存済み接近記録送信部
３５３  接近判定設定情報送信部
３５４  鍵情報送信部
【図１】
2018131886.tif 000003
【図２】
2018131886.tif 000004
【図３】
2018131886.tif 000005
【図４】
2018131886.tif 000006